(57)【要約】【課題】  トリミング実施中の疎パターンと密パターンのそれぞれのトリミング量をモニターする方法を確立し、それぞれのパターンのトリミング量が規格値に収まるトリミング終点を検出する方法を実現するトリミング量制御技術を提供する。【解決手段】  真空処理室内に収容したウエハにレジストトリミング処理を施すプラズマエッチング処理装置１３において、プラズマ処理中の装置状態をモニタリングするＯＥＳ１９を有し、ＯＥＳ１９からのモニタリング出力に基づく特徴量１６およびトリミング時間１５とから予め設定した疎密パターン別トリミング量予測回帰モデル１７を用いて疎密パターン別トリミング量予測値１８を予測し、トリミング量予測値１８と目標トリミング量１１０との距離が等しくなる時点をトリミングプロセスの終了点として、プラズマエッチング処理装置１３を制御する。【選択図】  図１
2006013013.tif 000002
【特許請求の範囲】
【請求項１】
真空処理室内に収容した試料に処理を施すプラズマエッチング処理装置と、
装置状態をモニタリングする測定手段と、
前記測定手段の出力であるモニタリング結果から特徴量を算出する手段と、
前記特徴量とトリミング時間に基づき、トリミング量を予測するモデルとを備え、
前記特徴量と前記トリミング時間とからトリミング予測量を逐次算出し、
前記トリミング予測量が予め定められたトリミング量目標値以上となった時点で、トリミング処理を終了することを特徴とするプラズマエッチング処理装置の制御方法。
【請求項２】
請求項１記載のプラズマエッチング処理装置の制御方法において、
前記トリミング処理の終了時に、計測したトリミング量とこの時のモニタリング結果をもとに、前記トリミング量を予測するモデルを更新することを特徴とするプラズマエッチング処理装置の制御方法。
【請求項３】
請求項１記載のプラズマエッチング処理装置の制御方法において、
前記逐次算出されるトリミング予測量を表示することを特徴とするプラズマエッチング処理装置の制御方法。
【請求項４】
真空処理室内に収容した試料に処理を施すプラズマエッチング処理装置と、
装置状態をモニタリングする測定手段と、
前記測定手段の出力であるモニタリング結果から特徴量を算出する手段と、
前記特徴量とトリミング時間に基づき、トリミング量を予測するモデルと、
前記特徴量と前記トリミング時間とからトリミング予測量を逐次算出する手段と、
前記トリミング予測量が予め定められたトリミング量目標値以上となった時点で、トリミング処理を終了する手段と、
前記トリミング処理の終了時に、計測したトリミング量とこの時のモニタリング結果をもとに、前記トリミング量を予測するモデルを更新する手段とを備えることを特徴とするトリミング量制御システム。
【請求項５】
真空処理室内に収容した試料に処理を施すプラズマエッチング処理装置と、
装置状態をモニタリングする測定手段と、
前記測定手段の出力であるモニタリング結果から特徴量を算出する手段と、
前記特徴量とマスクトリミング時間に基づき、前記試料上の異なる複数種類のマスクトリミング量をそれぞれ予測するモデルとを備え、
前記特徴量と前記マスクトリミング時間とから複数種類のマスクトリミング予測量を逐次算出し、
前記複数種類のマスクトリミング予測量と予め定められたマスクトリミング量目標値との距離が等しくなった時点で、マスクトリミング処理を終了することを特徴とするプラズマエッチング処理装置の制御方法。
【請求項６】
請求項５記載のプラズマエッチング処理装置の制御方法において、
前記複数種類のマスクトリミング量は、疎パターンと密パターンの２種類のパターンのマスクトリミング量であることを特徴とするプラズマエッチング処理装置の制御方法。
【請求項７】
請求項５記載のプラズマエッチング処理装置の制御方法において、
前記マスクトリミング処理の終了時に、計測したマスクトリミング量とこの時のモニタリング結果およびマスクトリミング時間をもとに、前記試料上の異なる複数種類のマスクトリミング量をそれぞれ予測するモデルを更新することを特徴とするプラズマエッチング処理装置の制御方法。
【請求項８】
請求項５記載のプラズマエッチング処理装置の制御方法において、
前記逐次算出される複数種類のマスクトリミング予測量を表示することを特徴とするプラズマエッチング処理装置の制御方法。
【請求項９】
真空処理室内に収容した試料に処理を施すプラズマエッチング処理装置と、
装置状態をモニタリングする測定手段と、
前記測定手段の出力であるモニタリング結果から特徴量を算出する手段と、
前記特徴量とマスクトリミング時間に基づき、前記試料上の異なる複数種類のマスクトリミング量をそれぞれ予測するモデルと、
前記特徴量と前記マスクトリミング時間とから複数種類のマスクトリミング予測量を逐次算出する手段と、
前記複数種類のマスクトリミング予測量と予め定められたマスクトリミング量目標値との距離が等しくなった時点で、マスクトリミング処理を終了する手段と、
前記マスクトリミング処理の終了時に、計測したマスクトリミング量とこの時のモニタリング結果およびマスクトリミング時間をもとに、前記試料上の異なる複数種類のマスクトリミング量をそれぞれ予測するモデルを更新する手段とを備えることを特徴とするトリミング量制御システム。
【発明の詳細な説明】
【技術分野】
【０００１】
本発明は、プラズマエッチング処理技術に関し、特に、装置状態によって変動するトリミング量をモニターし、所望のトリミング量にてトリミング処理を終了できるトリミング量制御に適用して有効な技術に関する。
【背景技術】
【０００２】
本発明者が検討したところによれば、半導体装置の半導体集積回路チップは、半導体デバイス化ウエハ上に導電層や絶縁層あるいはその他の薄膜層を予め定められた順序で成膜工程により順次に積層し、必要に応じて各層毎に露光工程とエッチング工程により回路パターンを転写することでパターン層を形成し、所定の層を全て重ねた後にウエハ上の個々のチップを切断分離して製造する。半導体装置の速度性能は、材料が同じ場合には主に回路パターンの幅寸法によって決まるため、年々微細化が推し進められており、それに応じて精密な露光工程とエッチング工程が要求されるに至っている。
【０００３】
露光工程の微細化能力は、主に露光光源の波長に依存するため、Ｉ線からＫｒＦレーザ、ＡｒＦレーザと、より短い波長の光源とその波長に感度のあるレジスト材料の開発が進められてきた。しかし近年、光源の短波長化が微細化の進展に追いつかず、パターン転写能力が限界にきている。また、露光寸法と必要とされるレジスト寸法との間には差が生じており、露光後の寸法を細線化するレジストトリミング方法が検討され始めた。現在は、デバイスメーカ各社でレジストトリミングプロセスの研究が盛んであり、プロセスが確立されつつある。
【０００４】
例えば、ＩＴＲＳ（Ｔｈｅ  Ｉｎｔｅｒｎａｔｉｏｎａｌ  Ｔｅｃｈｎｏｌｏｇｙ  Ｒｏａｄｍａｐ  ｆｏｒ  Ｓｅｍｉｃｏｎｄｕｃｔｏｒｓ）２００３に示された、今後のトリミング量推移とトリミング工程に許容される同一パターンのばらつきおよび完成寸法のパターン疎密差許容値との関係において、トリミング工程では、ウエハ内・ウエハ間・ロット間で同一パターンについて、ばらつき±１ｎｍ以下の高精度な加工が要求される一方で、パターン疎密に起因する寸法差に対しては５ｎｍが許容されている。すなわち、疎パターン・密パターンが疎密間差を保ちながら、それぞれ±１ｎｍ以下の精度でトリミング加工されることが要求されている。現状、要求を満たす当座のプロセス開発が進められているが、今後の微細化の進展に伴い必要となる、トリミング量高精度制御技術は確立されていなかった。
【０００５】
プラズマエッチング処理装置は、例えば、真空処理室内にエッチングガスを導入し、減圧下でプラズマ放電を発生させ、このプラズマ中に発生するラジカルあるいはイオンを、試料であるウエハの表面に反応させてエッチングする装置が知られている。このような処理を行うドライエッチング装置は、レシピと呼ばれる製造条件（ガス流量、ガス圧力、投入電力、エッチング時間等）のもとにエッチング処理を行う。レジストトリミングも、レジスト細線化の原理はエッチング処理と同様であり、前記レシピはトリミングプロセスで常に一定に保持されている。
【０００６】
しかし、一定のレシピでウエハを処理した場合にも、材料とエッチングガスとの反応生成物が処理室内壁に堆積し、この堆積物からアウトガスと呼ばれる不要なガスが発生して処理室内の環境が経時変化する。さらに、処理室関連部品の温度変化、部品の消耗によっても処理室内環境は変化する。このように、ドライエッチング装置には様々な外乱要因が存在し、ばらつき±１ｎｍ以下が要求されるトリミングプロセスにおいては、外乱によるトリミング結果の変動を無視できない。
【０００７】
予め決定されたレシピに従ってエッチングを実施するのでなく、装置の状態に応じて適切なエッチング時間を判断してエッチングを終了する方法として、発光スペクトルを利用した終点検出方法が一般的である。エッチング生成物に特有な波長の発光強度をモニタし、被エッチング材料がなくなってエッチング生成物からの発光が大きく減少する時点を、発光強度の一次微分や二次微分を用いて精度よく検出し、エッチング終了点を決定する。
【０００８】
特許文献１に、発光スペクトルの多変量統計解析分析を利用したプラズマ処理モニタ技術が開示されている。この技術では、ＨｏｔｅｌｌｉｎｇＴ２と呼ばれる変化点を高精度に抽出する統計解析手法を用いて発光スペクトルより被エッチング膜がなくなるエッチング終了点を検出する。
【０００９】
また、終点検出方法とは異なるが、多くのエッチング環境の情報を含み、計測方法が比較的簡便な発光スペクトルを用いたエッチング結果の評価手法として、非特許文献１の中で、エッチング終了後のＡｌ線幅の減少量を、エッチング実施時の発光スペクトルの主成分解析スコアを用いて精度よく予測する方法が開示されている。
【特許文献１】特表２００１−５２１２８０号公報
【非特許文献１】アイイーイーイー  トランザクションズ  オン  セミコンダクター  マニファクチャリング（ＩＥＥＥ  ＴＲＡＮＳＡＣＴＩＯＮＳ  ＯＮ  ＳＥＭＩＣＯＮＤＵＣＴＯＲ  ＭＡＮＵＦＡＣＴＵＲＩＮＧ），ＶＯＬ．１０，ＮＯ．１，ＦＥＢＲＵＡＲＹ  １９９７，ｐｐ５２−６１
【発明の開示】
【発明が解決しようとする課題】
【００１０】
ところで、前記レジストトリミングにおいて、装置状態によらず、常に所望のトリミング量にてトリミングプロセスを終了するためには、トリミング量を正確に逐次判断するモニタリング技術が必要である。前記特許文献１に開示されるエッチング終点検出方法は、被エッチング膜がなくなる点を発光スペクトルの変化より検出する方法であり、トリミングプロセスのように、トリミングの進行途中にトリミング量を判定して、終了点を決定することはできない。
【００１１】
また、前記非特許文献１では、エッチング終了時のエッチング結果を予測するにすぎず、トリミング量を逐次判断することは不可能であった。
【００１２】
そこで、本発明は、これらの問題点に鑑みてなされたもので、トリミング実施中のトリミング量をモニターする方法を確立し、トリミング終点を検出する方法を実現するトリミング量制御技術を提供することを目的とするものである。
【００１３】
さらに、本発明の目的は、トリミング実施中の疎パターンと密パターンのそれぞれのトリミング量をモニターする方法を確立し、それぞれのパターンのトリミング量が規格値に収まるトリミング終点を検出する方法を実現するトリミング量制御技術を提供するものである。
【課題を解決するための手段】
【００１４】
本発明は、真空処理室内に収容した試料に処理を施すプラズマエッチング処理装置と、装置状態をモニタリングする測定手段と、測定手段の出力であるモニタリング結果から特徴量を算出する手段と、特徴量とトリミング時間に基づき、トリミング量を予測するモデルとを備えたプラズマエッチング処理装置の制御方法およびトリミング量制御システムに適用され、以下のような特徴を有するものである。
【００１５】
すなわち、本発明においては、特徴量とトリミング時間とからトリミング予測量を逐次算出し、トリミング予測量が予め定められたトリミング量目標値以上となった時点で、トリミング処理を終了するものである。さらに、トリミング処理の終了時に、計測したトリミング量とこの時のモニタリング結果をもとに、トリミング量を予測するモデルを更新するようにしたものである。また、逐次算出されるトリミング予測量を表示するようにしたものである。
【００１６】
また、本発明は、真空処理室内に収容した試料に処理を施すプラズマエッチング処理装置と、装置状態をモニタリングする測定手段と、測定手段の出力であるモニタリング結果から特徴量を算出する手段と、特徴量とマスクトリミング時間に基づき、試料上の異なる複数種類のマスクトリミング量をそれぞれ予測するモデルとを備えたプラズマエッチング処理装置の制御方法およびトリミング量制御システムに適用され、以下のような特徴を有するものである。
【００１７】
すなわち、本発明においては、特徴量とマスクトリミング時間とから複数種類のマスクトリミング予測量を逐次算出し、複数種類のマスクトリミング予測量と予め定められたマスクトリミング量目標値との距離が等しくなった時点で、マスクトリミング処理を終了するものである。特に、複数種類のマスクトリミング量は、疎パターンと密パターンの２種類のパターンのマスクトリミング量に適用するようにしたものである。さらに、マスクトリミング処理の終了時に、計測したマスクトリミング量とこの時のモニタリング結果およびマスクトリミング時間をもとに、試料上の異なる複数種類のマスクトリミング量をそれぞれ予測するモデルを更新するようにしたものである。また、逐次算出される複数種類のマスクトリミング予測量を表示するようにしたものである。
【発明の効果】
【００１８】
本発明によれば、装置状態を表す特徴量である発光スペクトルの主成分スコアおよびトリミング時間を用いて、予め作成したトリミング量予測モデルに基づき疎・密パターン毎にトリミング量を予測することができ、かつ、目標トリミング量の規格上下限内に疎・密パターンのトリミング量予測値が来た時点でトリミングプロセスを終了させることができる。これにより、素子特性を決定付けるゲート寸法の高精度加工が可能となり、素子特性のばらつきを低減することが可能となる。
【００１９】
また、本発明によれば、従来は予め定めたトリミング時間によってプロセスを終了してからトリミング結果を計測、あるいは予測していたために、所望のトリミング量が実現できなかった場合はスクラップウエハとせざるを得ない場合があったが、その様な失敗を低減することができる。
【００２０】
さらに、本発明によれば、スクラップにならない場合であっても、最終的にウエハ１枚の価格が高額となるために、トリミング工程における歩留まりが低い場合、不良チップによる損失が大きいが、トリミング量制御によってトリミング工程の歩留まりが向上し、トリミング工程以外の工程歩留まりを考慮しても、損失を低減することができる。
【００２１】
また、本発明によれば、常に一定のエッチング結果を得るために、頻繁に実施していた装置初期化（クリーニング）等の保守作業を大幅に軽減でき、装置稼働率を向上して生産性向上に寄与することができる。
【発明を実施するための最良の形態】
【００２２】
以下、本発明の実施の形態を図面に基づいて詳細に説明する。なお、実施の形態を説明するための全図において、同一の機能を有する部材には原則として同一の符号を付し、その繰り返しの説明は省略する。
【００２３】
（実施の形態１）
本発明の実施の形態１においては、レジストトリミング工程で各パターンに許容される寸法ばらつき１ｎｍ以下を実現するために、装置状態の特徴量と処理時間から疎パターンと密パターンのトリミング量を別々に予測し、トリミング目標値からの各予測値の距離が等しくなる点をトリミング終了点とした。このトリミング終了点を判断する例として、２種類の場合について説明するが、これに限定されるものではない。
【００２４】
図１は、本実施の形態に係るトリミング量制御システムの概要を示す図である。図１において、本実施の形態に係るトリミング量制御システムを含むシステム全体は、ホトリソグラフィ処理装置（Ｐｈｏｔｏ）１１、計測器（ＣＤ−Ｍ）１２、プラズマエッチング処理装置（Ｅｔｃｈ）１３等から構成される。
【００２５】
プラズマエッチング処理装置１３には、発光分光器（以下、Ｏｐｔｉｃａｌ  Ｅｍｉｓｓｉｏｎ  Ｓｐｅｃｔｒｏｓｃｏｐｙの略であるＯＥＳと称す）１９、パーソナルコンピュータ（ＰＣ）１１１等が搭載されており、ＰＣ１１１の画面にトリミング量制御の各種情報が表示され、またトリミング量制御におけるトリミング終了点判定部１１２等の各種処理がソフトウェアによる制御プログラムに基づいて実行される。ここでは、プラズマエッチング処理装置１３や、これに搭載されるＯＥＳ１９、ＰＣ１１１等を含めてトリミング量制御システムと呼ぶ。
【００２６】
ホトリソグラフィ処理装置１１は、例えば、半導体基板上に堆積されたゲート電極材料上に、レジストを露光する際の反射光を防止する反射防止膜およびレジスト膜を塗布し、このレジストを、例えば目的とする電界効果型トランジスタのゲート部分を加工する際のマスク材となるパターン形状に加工する。以下、ゲート電極幅をＣＤ（Ｃｒｉｔｉｃａｌ  Ｄｉｍｅｎｓｉｏｎ）値と称する。
【００２７】
計測器１２は、前記加工後のレジストのＣＤ値を計測するＣＤ−ＳＥＭ等の計測器である。この計測器１２で計測されたレジストＣＤ寸法の計測値と必要レジスト寸法値１４から目標トリミング量１１０を算出する。
【００２８】
プラズマエッチング処理装置１３は、例えば、試料であるウエハを真空処理室に収容後、真空処理室内のガスを真空排気し、トリミングに適したガスを導入して真空処理室内にプラズマを立てることで、トリミングプロセスを開始する。プラズマが立ってからの時間がトリミング時間１５である。トリミング中のプラズマの発光を、ＯＥＳ１９を用いて収集する。トリミング時間１５と発光スペクトルの特徴量１６である主成分スコアから、疎密パターン別トリミング量予測回帰モデル１７に従い、疎密パターン毎にトリミング量予測値１８を算出する。疎密パターンそれぞれのトリミング量予測値Ａ・Ｂと目標トリミング量１１０との距離ａ・ｂが等しくなるまで、例えば０．５ｓのサンプリング間隔でトリミング量予測を繰り返す。二つの距離ａ・ｂの大小関係が逆転した時点でトリミングプロセスを終了する。
【００２９】
このトリミング量制御システムにおいて、トリミング量制御方法を実現するためには、トリミング量制御を実施する前に予め高精度な疎密パターン別トリミング量予測回帰モデル１７を作成しておく必要がある。
【００３０】
＜トリミング量制御方法＞
図２は、本実施の形態に係るトリミング量制御システムにおいて、トリミング量制御方法を実現する２つのステップを示す図である。トリミング量制御方法は、オフラインモデル導出ステップＳ４１と、オンライントリミング量制御ステップＳ４２からなる。
【００３１】
まず、オフラインモデル導出ステップＳ４１として、トリミング時の発光スペクトルに対して主成分解析を実施して、発光主成分スコア（特徴量）と、これを計算するための係数および基準ベクトルを算出する。そして、主成分スコアおよびエッチング時間と、この時の疎パターン、密パターンのそれぞれのトリミング量とを関連付ける疎・密パターン別回帰モデルを作成する。
【００３２】
続いて、オンライントリミング量制御ステップＳ４２として、エッチング実施時の発光スペクトルから、係数および基準ベクトルを用いてスコアを算出し、スコアおよびエッチング時間より疎・密パターン別回帰モデルを用いて、疎パターンおよび密パターンのトリミング量予測値を算出する。以上の処理を所定のサンプリング間隔で繰り返し、トリミング量予測値と疎・密パターン予測値との各々の距離が等しくなる時点をトリミング終了点としてトリミング処理を停止する。
【００３３】
＜オフラインモデル導出ステップ＞
次に、オフラインモデル導出ステップについて、図３〜図７を用いて詳細に説明する。
【００３４】
図３は、トリミングプロセスの概念を示す図である。（ａ）はレジストトリミングの初期状態、（ｂ）はレジストトリミング後の状態を示す。
【００３５】
トリミングとは、ホト工程で、現状の転写能力の限界で加工されたレジストパターン寸法を、所望のゲートＣＤ値にゲート材料をエッチングするのに適当な必要レジスト寸法に細線化する技術である。通常、ＡｒＦレーザを用いた露光を行う場合には、下地膜からの反射光を防止する必要があるために、下地反射防止膜（ＢＡＲＣ）が必要であり、初期状態は図３（ａ）に示すような構造となっている。
【００３６】
レジストトリミングプロセスでは、まず、ＡｒＦレーザ光に感度のあるＡｒＦレジストをマスクとしてＢＡＲＣ膜をパターニングし、その後、ＡｒＦレジスト膜とＢＡＲＣ膜の積層構造であるパターン全体を細らせて、所望のパターン寸法を得る。このトリミング後は図３（ｂ）に示すような構造となる。レジストパターン寸法からトリミング後寸法を差し引いた量をトリミング量と呼ぶ。
【００３７】
図４は、同一条件でトリミングを実施した際の総処理枚数（横軸）に対するトリミング量（縦軸）の推移を示す図である。
【００３８】
前述したように、従来のエッチング処理装置は、エッチング実施に伴い装置内壁にエッチング生成物が徐々に付着することが主原因となって、トリミング結果に緩やかなロット間変動を生じる。また、同一ロットの中でも、真空処理室内のガス雰囲気の違いを反映してロット内の着工順序に依存したロット内変動を生じる。このような変動は、疎パターンと密パターンとの間に疎密差を保ちながら同様に生じていた。
【００３９】
そこで、本発明の特徴であるトリミング量予測モデルを導出するにあたっては、このような装置状態の変化を捕らえる特徴量の導入が必要である。また、同じ特徴量を示す装置状態であっても、トリミング時間によってトリミング量は変わってくるので、トリミング時間も予測に必要な因子であると考えた。
【００４０】
特徴量の抽出方法としては、主成分解析手法を用いた。主成分解析手法とは、ある問題に対して、いくつかの要因が考えられるとき、それら要因を一つ一つ独立に扱うのではなく、総合的に取り扱おうとする手法である。主成分解析では、多くの変量の値をできるだけ情報の損失無しに、１個または互いに独立な数個の総合的指標で代表させることが可能である。主成分解析の対象をトリミング実施中の発光スペクトルとし、ロット内・ロット間変動に対応する発光スペクトルの変化を主成分スコアとして圧縮し、トリミング量予測モデルに用いる特徴量とした。
【００４１】
図５は、疎密パターン別トリミング量予測回帰モデル導出の実験条件を示す図である。ここでは、実験を実施した９枚のウエハの実験条件を示すが、これに限られるものではない。
【００４２】
トリミング量予測回帰モデルが常に精度良くトリミング量を予測するためには、モデル使用範囲の装置状態の変化を特徴量として正確に捉える必要があるために、タグチメソッドのＬ９直交表に従い、ロット内位置・全掃間位置の各条件およびトリミング時間を効果的に９条件に設定した。トリミング時間は、トリミング終了点周辺の３水準（２５秒・３５秒・４５秒）を選択した。装置状態の変化は、主にロット内変動とロット間変動に大別されるために、ロット内のスロット位置として、１ロットのウエハ枚数１３枚を仮定し、１枚目・５枚目・１３枚目の水準とした。ロット間変動を捉える条件としては、全掃直後の全掃間初期と全掃直前の全掃間後期とその間をとった全掃間中期の３水準とした。
【００４３】
この実験では、９枚のウエハを用いてモデル導出を試みたが、装置状態の変化を特徴量として抽出することが目的であるので、全掃間位置とロット内位置およびトリミング時間が予測モデル使用範囲を十分カバーしていれば良い。よって、９枚より少ない５枚等のウエハで簡略化した予測回帰モデル導出を実施することも可能である。
【００４４】
図６は、疎密パターン別トリミング量予測回帰モデル導出方法を示すフローチャートである。ここでは、９枚のウエハの実験条件を示す図５の例に従って説明するが、これより少ない場合は、この枚数のウエハについて実験を繰り返す以外は同様である。
【００４５】
まず、図５の実験条件に従い、トリミングを開始する（Ｓ９１）。このトリミング開始時から発光スペクトルのデータを収集する（Ｓ９２）。この発光スペクトルのデータ収集は、トリミング開始時から指定されたトリミング時間で決定されるトリミング終了まで行う（Ｓ９３）。そして、トリミング終了後に、トリミング後寸法を疎密パターン毎に計測し、予め計測しておいた初期のレジストパターン寸法から差し引くことで、疎密パターンのトリミング量を算出する（Ｓ９４）。これを、９枚のウエハについて繰り返すことで実験が終了となる（Ｓ９５）。
【００４６】
続いて、実験で得られたウエハ９枚分のデータの発光スペクトル時間平均に対し、主成分解析を実施して（Ｓ９６）、主成分スコアを算出するための係数である固有ベクトル、主成分スコア算出時に各発光スペクトルの基準となる基準ベクトルを算出する（Ｓ９７，９８）。さらに、得られた固有ベクトルと基準ベクトルを用いて、各ウエハ毎にそのときの装置状態を示す特徴量である発光主成分スコアを算出する（Ｓ９９）。そして、発光主成分スコアとトリミング時間を説明因子として、疎密パターン毎にトリミング量を予測する疎密パターン別トリミング量予測回帰モデルを導出する（Ｓ９１０）。
【００４７】
図７は、トリミング量予測回帰モデルの概念を示す図である。図７では、横軸をトリミング時間、縦軸を予測トリミング量とし、時間による推定部分と、発光主成分による推定部分を示している。
【００４８】
トリミング量予測回帰モデルでは、時間のみを説明因子とした場合に対し、発光主成分スコアを説明因子として用いた場合が予測精度が低減し、トリミング量予測における特徴量の重要性が明らかである。予測トリミング量は、トリミング時間によるトリミング量推定部分に発光主成分による推定部分が加算されたものであり、装置状態の変動によるトリミング量の変動量を、装置状態の特徴量が補償する構成となっている。なお、図７では、発光主成分による推定部分の幅を簡単のため一意に記載しているが、装置状態に応じて変動する発光主成分スコアにより、発光主成分による推定幅は変動することは言うまでもない。
【００４９】
＜オンライントリミング量制御ステップ＞
次に、オンライントリミング量制御ステップについて、図８〜図１１を用いて詳細に説明する。
【００５０】
図８は、トリミング量制御方法を示すフローチャートである。オンライントリミング量制御ステップは、前記図２に示した２番目のステップであり、前述したオフラインモデル導出ステップにおいて、すでに疎密パターン別トリミング量予測回帰モデル、発光主成分スコアを算出するための係数（固有ベクトル）、基準ベクトルは導出済みであることを仮定している。
【００５１】
まず、これら予め導出された回帰モデル、基準ベクトルおよび固有ベクトルを取得する（Ｓ１２１〜１２３）。さらに、目標マスク寸法を取得し（Ｓ１２４）、トリミングを実施するウエハのレジストパターン寸法値を取得する（Ｓ１２５）。そして、レジストパターン寸法値から目標マスク寸法を差し引き、トリミング目標量を算出する（Ｓ１２６）。
【００５２】
続いて、トリミングを開始し（Ｓ９１）、トリミング時間を取得し（Ｓ１２７）、発光データを収集して（Ｓ９２）、トリミング時間と発光データから発光主成分スコアを算出する（Ｓ９９）。さらに、発光主成分スコアにより、疎密パターン毎にトリミング量を算出する（Ｓ１２８）。そして、疎密パターン毎の予測値とトリミング目標量との距離ａ，ｂを算出し（Ｓ１２９）、ａとｂが等しくなるまで、Ｓ１２７〜１２１０までの処理を繰り返し、所望のトリミング量にてトリミングプロセスを終了する（Ｓ９３）。
【００５３】
以上の処理において、次のウエハがあるか否かを判定し、すべてのウエハが終了するまでＳ１２５〜９３の処理を繰り返して行う（Ｓ９５）。
【００５４】
図９は、トリミング終了点決定方法を詳細に示す図である。それぞれ、横軸をトリミング時間、縦軸を予測トリミング量とし、（ａ）はａ＜ｂの場合、（ｂ）はａ＝ｂの場合、（ｃ）はａ＞ｂの場合である。
【００５５】
疎パターンと密パターンは、同一のプラズマにさらされた場合に、パターン間のスペース幅の違いにより、エッチャントや反応生成物から受ける影響が異なるために、同じスピードで削れることはなく、通常、許容可能な範囲（〜５ｎｍ）でずれを生ずる。そこで、エッチングの進行に伴い、トリミング目標値を先に超える密パターンと目標値に満たない疎パターンが存在する。密パターンの予測値をＡとし、この時の目標値との距離をａ、疎パターンの予測値をＢとして、この時の目標値との距離をｂとすると、時刻のＴ０では、図９（ａ）に示すようにａ＜ｂであったものが、エッチングの進行に伴い、図９（ｃ）に示すようにａ＞ｂに変化するが（時刻Ｔ２）、図９（ｂ）に示すようにａ＝ｂとなった時点のＴ１がトリミング終了点である。
【００５６】
このように、疎密パターントリミング量の目標値からの距離が等しい時点をエッチング終了点とすることで、疎パターンと密パターンとの距離間の疎密差が等しい場合には、エッチング速度、すなわち疎密パターンの傾きが異なる場合にも、常に疎密パターンのトリミング量がロット内・ロット間で等しくなる時点でトリミングを終了することが可能である。
【００５７】
図１０は、トリミング量の疎密差が異なった場合の終了点決定方法を示す図である。それぞれ、横軸をトリミング時間、縦軸を予測トリミング量とし、（ａ）は疎密差Ｄの場合、（ｂ）は疎密差Ｄ＋ΔＤの場合である。
【００５８】
図１０（ａ）に示すトリミング量の疎密差Ｄが、図１０（ｂ）に示すように、装置状態によって疎密差許容範囲内でΔＤだけ変化した場合にも、目標値からの距離を疎密パターンで等しく保つことで、各パターンのトリミング量変動をΔＤ／２に按分することができ、トリミング量疎密差の変動が各パターンのトリミング量に与える影響を最小に抑えることが可能である。なお、疎密パターン差は、エッチング装置の要求仕様であり、大幅にずれることは考えられないため、ΔＤ／２は各パターンに許容されるばらつき±１ｎｍを超えることはない。
【００５９】
図１１は、トリミング量予測を用いたトリミング量制御結果を示す図である。この図１１に対して、トリミング時間を一定とした従来のトリミング処理結果は前述した図６の通りである。
【００６０】
従来のトリミング処理では、前記図６に示したように、一定の疎密差を持って、ロット内変動およびロット間変動が存在し、目標とする結果が得られなくなった時点で頻繁に全掃を実施していたが、本発明によるトリミング量予測を用いたトリミング量制御では、図１１に示すように、送処理枚数に対して疎密パターンのトリミング量がほぼ一定で、かつロット内変動、ロット間変動も小さくなり、ロット間変動・ロット内変動ともに抑制されて、疎密パターン毎のトリミング量制御の効果が明らかである。
【００６１】
このように、装置変動を発光スペクトルの特徴量として捉えて予測回帰モデルに組み込んだ、疎密パターン別トリミング量予測制御方法を用いることで、従来発生していたトリミング量の経時変動が抑制され、精度良いトリミング加工が可能となって、装置信頼性が向上した。また、これまではトリミング結果の経時変動量が許容変動量を超えた時点で、装置状態をリセットする全掃作業を頻繁に実施していたが、トリミング量予測制御を実施することで、トリミング量の経時変動が抑制され、全掃に到るまでに処理可能な総処理枚数が大幅に増えて、装置稼働率が向上した。また、ゲート寸法は、デバイスの性能を決定付ける重要な因子であり、ゲート加工に用いるマスクレジスト寸法が高精度に管理されることで、ゲート加工精度を向上し、デバイスの信頼性が向上した。
【００６２】
（実施の形態２）
本発明の実施の形態２においては、トリミング量予測モデルを処理結果に基づき更新するトリミング量Ｒｕｎ−ｔｏ−Ｒｕｎ制御方法について説明する。近年、微細パターンを計測する手法として、光散乱を用いた形状推定手段（Ｏｐｔｉｃａｌ  Ｃｒｉｔｉｃａｌ  Ｄｉｍｅｎｓｉｏｎを略して以下ＯＣＤと記載する。）が実用化されてきた。エッチング装置毎にＯＣＤモジュールを搭載することが可能であり、処理前後のパターン寸法や形状を装置において計測できるために、計測に要する時間を軽減でき、かつ計測点数を大幅に向上する点がＯＣＤ搭載のメリットである。
【００６３】
前述のモデル導出方法の説明で述べたように、モデル導出する際に装置変動をカバーする十分な範囲で実験を実施すると、高精度なモデルが導出できるが、実験実施に時間を要する。そこで、ＯＣＤを活用すればトリミング実施後に、その場でトリミング量を計測することが可能であり、トリミング量とトリミング時間およびこの時の発光スペクトルを用いて疎密パターン別トリミング量予測回帰モデルを逐次更新していくことができる。モデルは、装置状態に応じて調整されるので、加工精度を確保したまま、初期のオフラインモデル導出に必要なウエハ枚数や工数を低減することが可能である。
【００６４】
図１２は、本実施の形態に係るトリミング量Ｒｕｎ−ｔｏ−Ｒｕｎ制御システムの概要を示す図である。図１２において、本実施の形態に係るトリミング量Ｒｕｎ−ｔｏ−Ｒｕｎ制御システムは、前記実施の形態１のプラズマエッチング処理装置（Ｅｔｃｈ）１３に対して、ＯＥＳ１９等の他に、ＯＣＤ１７１が搭載されており、トリミング量Ｒｕｎ−ｔｏ−Ｒｕｎ制御が可能となっている。
【００６５】
図１３は、トリミング量Ｒｕｎ−ｔｏ−Ｒｕｎ制御方法を示すフローチャートである。このトリミング量Ｒｕｎ−ｔｏ−Ｒｕｎ制御方法において、予め準備したトリミング量予測回帰モデルと固有ベクトルと基準ベクトルを用いて疎密パターン毎にトリミング量予測を行いながら、目標トリミング量にてトリミングを終了する点までは（Ｓ１２１〜９３）、前述したトリミング量制御方法と同様であり、同一のステップには同一の番号を付して説明を省略する。
【００６６】
続いて、Ｓ９３のトリミング終了後に、疎密パターン毎にトリミング量をＯＣＤにて計測する（Ｓ９４）。次に、得られた発光スペクトルとオフラインモデル導出のステップにて使用した過去の発光スペクトルとを用いて、再び発光データの主成分解析を実施する（Ｓ９６）。ここで、新たな固有ベクトルと基準ベクトルが得られるので、次のトリミング量制御に用いる固有ベクトルと基準ベクトルとして更新する（Ｓ１８１，１８２）。そして、新たに得られた固有ベクトルと基準ベクトルを用いて発光主成分スコアを算出し（Ｓ９９）、発光主成分スコアおよびトリミング時間より新たな疎密パターン別トリミング量予測回帰モデルを導出して、これを次のウエハのトリミング量予測回帰モデルとして現モデルを更新する（Ｓ１８３）。
【００６７】
このように、トリミング実施後に、ＯＣＤでトリミング量を計測して、トリミング量とトリミング時間およびこの時の発光スペクトルを用いて疎密パターン別トリミング量予測回帰モデルを逐次更新していくことができる。
【００６８】
（実施の形態３）
本発明の実施の形態３においては、トリミング量モニタリング方法について説明する。
【００６９】
図１４は、トリミング量モニタリング方法を示すフローチャートである。このトリミング量モニタリング方法において、前述したトリミング量制御方法と同様に、発光スペクトルの主成分スコアとこの時のトリミング時間とを用いて予測した疎密パターン毎のトリミング量を算出し（Ｓ１２１〜１２８）、この算出したトリミング量を表示し（Ｓ１９１）、トリミング終了まで繰り返す（Ｓ１９２）。
【００７０】
このように、疎密パターン毎のトリミング量は、これを表示する機能と組み合わせれば、逐次算出したトリミング量のトリミングモニター機構を実現することができる。
【００７１】
（実施の形態４）
本発明の実施の形態４においては、トリミング量制御システムのインターフェース画面および処理の流れについて説明する。
【００７２】
前記実施の形態１〜３では、疎密パターン別トリミング量予測回帰モデルを用いたトリミング量予測制御方法について述べたが、これを実現するためのシステムについて、本実施の形態では簡単な例を説明する。
【００７３】
図１５は、トリミング量制御システムの構成と、このシステムのインターフェース画面および処理の流れを示す図である。
【００７４】
トリミング量制御システムは、ＯＥＳ１９、ＰＣ１１１、ＯＣＤ１７１等が搭載されたプラズマエッチング処理装置１３と、莫大な量の発光スペクトルと処理時間、処理結果であるトリミング量を収集・保存し、活用するためのデータサーバ２０１をＬＡＮ等のネットワーク上に備えて構成される。
【００７５】
本トリミング量制御システムは、前記図２に示した２ステップからなる処理の流れを、図１５のようなインターフェース画面を用いて実行する。
【００７６】
まず、モデル導出ボタン２１１を押すと、モデル導出に必要となる解析対象を選択するための画面に遷移する。ここで、解析対象の選択キーワード２１３を入力し、実行ボタン２１４を押すことで、データサーバ２０１に蓄えられた発光スペクトルと、トリミング時間およびトリミング量を取得する。そして、発光スペクトルに対して主成分解析を実施し、特徴量を算出するための係数および基準ベクトルを算出する。また、特徴量とトリミング時間より、トリミング量を予測する疎密パターン別トリミング量予測回帰モデルを導出する。この処理の流れは、前記図６に示したものと同様である。
【００７７】
次に、トリミング量制御ボタン２１２を押した場合の処理について述べる。前記図２に示したとおり、終点の決定に寸法目標値２１６と初期寸法値２１７から算出されるトリミング量目標値が必要である。これらの値を入力して実行ボタン２１４を押すと、予め得られた係数および基準ベクトルを用いて、エッチング装置から得られる発光スペクトルを特徴量に逐次変換する。この時の処理時間とともに疎密パターン別トリミング量予測回帰モデルを用いて、疎密パターン毎のトリミング予測量を逐次算出し、画面上に表示する。このトリミング量予測および終了点判定の処理フローは、前記図８に示したものと同等である。これにより、トリミング終了点２１８を判定し、トリミング処理を終了する。
【００７８】
以上説明したように、本実施の形態によれば、装置状態を示す特徴量である発光スペクトルの主成分スコアおよびトリミング時間により、現在のトリミング量を逐次把握することが可能であり、このトリミング量予測結果に基づいて最適なトリミング時間にてトリミングプロセスを終了するので、装置状態の変化に基づくロット間変動・ロット内変動を抑えて精度の良いデバイス加工を実施することができる。
【００７９】
（実施の形態５）
本発明の実施の形態５においては、複数の予測トリミング量を用いた終了判定方法と、ポリシリコントリミングプロセスについて説明する。
【００８０】
前記実施の形態１〜４においては、複数のトリミング量は、疎パターンと密パターンの２種類のパターンのマスクトリミング量である場合を例に説明したが、本実施の形態では、別の例を説明する。
【００８１】
図１６は、ウエハ上のトリミング速度を示す図である。図１６に示すように、一般にトリミング速度は、ウエハの中央に対して点対称に分布する。このような場合、面内の全ての点で目標値近傍にトリミング結果を収めるためには、複数点のトリミング量を予測し、終了点を判定する必要がある。
【００８２】
図１７は、複数の予測トリミング量を用いた終了判定方法を示す図である。図１７において、中央Ｃと半径Ｂの領域と半径Ａの領域の３種類のトリミング量を予測する。予測トリミング量が最大となる半径Ｂの領域のトリミング量予測結果と、予測トリミング量が最小となる半径Ａの領域のトリミング量予測結果に着目し、それぞれの値と目標値との距離が等しくなる点をトリミング終了点とする。
【００８３】
図１８は、ポリシリコントリミングプロセスを示す図である。（ａ）はポリシリコントリミングの初期状態、（ｂ）はポリシリコンエッチング後の状態、（ｃ）はポリシリコントリミング後の状態を示す。
【００８４】
トリミング（細線化）は、前述した図３のレジスト以外に、ポリシリコンにも適用可能である。ポリシリコントリミングプロセスは、所望のゲート寸法を得るためにレジストマスクではなく、ゲート材料であるポリシリコンを直接細線化する技術である。
【００８５】
ポリシリコントリミングプロセスでは、初期状態が、図１８（ａ）に示すように、ポリシリコン上にＳｉＯ2が積層された構造となっている。まず、図１８（ｂ）に示すように、ＳｉＯ2をマスクとして、ポリシリコンを側壁保護膜を生成しながらエッチングする。その後、ガス種を変えて、側壁保護膜の形成なしに残りのポリシリコンを縦方向と横方向にエッチングすることで、図１８（ｃ）のようにパターン幅を細線化する。通常、時間管理でトリミングプロセスの終了点を決定しているが、トリミング量予測回帰モデルを用いて、トリミング量を逐次予測し、終了点を決定することで、高精度なトリミングプロセスの実施が可能となる。
【図面の簡単な説明】
【００８６】
【図１】本発明の実施の形態１に係るトリミング量制御システムの概要を示す図である。
【図２】本発明の実施の形態１において、トリミング量制御方法を実現する２つのステップを示す図である。
【図３】（ａ），（ｂ）は本発明の実施の形態１において、トリミングプロセスの概念を示す図である。
【図４】本発明の実施の形態１において、同一条件でトリミングを実施した際の総処理枚数に対するトリミング量の推移を示す図である。
【図５】本発明の実施の形態１において、疎密パターン別トリミング量予測回帰モデル導出の実験条件を示す図である。
【図６】本発明の実施の形態１において、疎密パターン別トリミング量予測回帰モデル導出方法を示すフローチャートである。
【図７】本発明の実施の形態１において、トリミング量予測回帰モデルの概念を示す図である。
【図８】本発明の実施の形態１において、トリミング量制御方法を示すフローチャートである。
【図９】（ａ）〜（ｃ）は本発明の実施の形態１において、トリミング終了点決定方法を詳細に示す図である。
【図１０】（ａ），（ｂ）は本発明の実施の形態１において、トリミング量の疎密差が異なった場合の終了点決定方法を示す図である。
【図１１】本発明の実施の形態１において、トリミング量予測を用いたトリミング量制御結果を示す図である。
【図１２】本発明の実施の形態２に係るトリミング量Ｒｕｎ−ｔｏ−Ｒｕｎ制御システムの概要を示す図である。
【図１３】本発明の実施の形態２において、トリミング量Ｒｕｎ−ｔｏ−Ｒｕｎ制御方法を示すフローチャートである。
【図１４】本発明の実施の形態３において、トリミング量モニタリング方法を示すフローチャートである。
【図１５】本発明の実施の形態４において、トリミング量制御システムの構成と、このシステムのインターフェース画面および処理の流れを示す図である。
【図１６】本発明の実施の形態５において、ウエハ上のトリミング速度を示す図である。
【図１７】本発明の実施の形態５において、複数の予測トリミング量を用いた終了判定方法を示す図である。
【図１８】（ａ）〜（ｃ）は本発明の実施の形態５において、ポリシリコントリミングプロセスを示す図である。
【符号の説明】
【００８７】
１１…ホトリソグラフィ処理装置、１２…計測器、１３…プラズマエッチング処理装置、１４…必要レジスト寸法、１５…トリミング時間、１６…特徴量、１７…疎密パターン別トリミング量予測回帰モデル、１８…疎密パターン別トリミング量予測値、１９…発光分光器、１１０…目標トリミング量、１１１…パーソナルコンピュータ、１１２…トリミング終了点判定部、１７１…光散乱形状推定手段、２０１…データサーバ、２１１…モデル導出ボタン、２１２…トリミング量制御ボタン、２１３…選択キーワード、２１４…実行ボタン、２１６…寸法目標値、２１７…初期寸法値、２１８…トリミング終了点。
【図１】
2006013013.tif 000003
【図２】
2006013013.tif 000004
【図３】
2006013013.tif 000005
【図４】
2006013013.tif 000006
【図５】
2006013013.tif 000007
【図６】
2006013013.tif 000008
【図７】
2006013013.tif 000009
【図８】
2006013013.tif 000010
【図９】
2006013013.tif 000011
【図１０】
2006013013.tif 000012
【図１１】
2006013013.tif 000013
【図１２】
2006013013.tif 000014
【図１３】
2006013013.tif 000015
【図１４】
2006013013.tif 000016
【図１５】
2006013013.tif 000017
【図１６】
2006013013.tif 000018
【図１７】
2006013013.tif 000019
【図１８】
2006013013.tif 000020